(57)【要約】      （修正有）【課題】短い距離をより正確に、かつ、距離感を持って打つことができる打法をとることができるゴルフ用のウェッジクラブを提供する。【解決手段】ロフト角が４４°を越えるゴルフ用のウェッジクラブにおいて、全長が４１〜４７インチ、グリップの長さが１７〜１９インチ、ライ角が６６〜７３°の範囲内で形成し、グリップエンド３ａをゴルファーＭの腹部Ｍ１、鳩尾部Ｍ２、胸部Ｍ３等の身体の一箇所に当ててアプローチショットを打つのに適する形状にした。【選択図】図２
0003114432.tif 000002
【実用新案登録請求の範囲】
【請求項１】
ロフト角が４４°を越えるゴルフ用のウェッジクラブにおいて、
全長が４１〜４７インチ、グリップの長さが１７〜１９インチ、ライ角が６６〜７３°の範囲内で形成し、グリップエンドをゴルファーの腹部、鳩尾部、胸部等の身体の一箇所に当ててアプローチショットを打つのに適する形状にして成ることを特徴とするウェッジクラブ。
【考案の詳細な説明】
【技術分野】
【０００１】
本考案は、ゴルフ競技に用いられるクラブの一種であるピッチングウェッジ、アプローチウェッジ、サンドウェッジ等、ロフト角が４４°を越えるウェッジクラブに関する。
【背景技術】
【０００２】
通常、ゴルフクラブには、ドライバー、フェアウェイウッド等のウッドクラブと、２番又は３番アイアンから９番アイアンまでのアイアンクラブと、ピッチングウェッジ、アプローチウェッジ、サンドウェッジのウエッジクラブと、パーターとが用意されており、これらを組み合わせてプレーしている。
【０００３】
また、一般に、ウッドクラブはできるだけ遠くへ飛ばして大きな飛距離を得るためのクラブとして使用され、アイアンクラブは正確な飛距離を得るためのクラブとして使用される。したがって、これらのクラブでは、フルスイングで打球することが多い。
【０００４】
これに対して、ウェッジクラブは、約１００ヤード以内の短い距離を、より正確に打つのに使われ、打球方向と飛距離はゴルファーの技量に左右される。すなわち、ウェッジクラブの場合では、一般に小さいスイングで、無駄のないコンパクトなスイングでのアプローチショットが要求される。このスイングでは、例を上げるまでもなく周知のように、クラブを身体から離し、手と身体の振りでスイングしている。
【考案の開示】
【考案が解決しようとする課題】
【０００５】
上述したように、従来のゴルフでは、クラブを身体から離してスイングしているので、ゴルファーが同じ一定の調子でスイングしても、インパクト時にヘッドの返りが遅れたときにはフェースが開いて打球がスライスする。逆に、インパクト時にヘッドの返りが早くなったときにはフェースが閉じて打球がフックし易くなる。また、距離感も定まらず、ミスショットをし易くなる。これは、大会等で大きなプレッシャ等がかかり、緊張してイップスに近い症状が出るとなおさらである。
【０００６】
したがって、プレッシャ等で緊張したような場合であっても、常に安定したショットを行うことができ、イップス気味の症状を無くすことができる打法及びこの打法に適したウェッジクラブが要求されている。
【０００７】
本考案は、上述のような従来の課題を解決するためになされたものであって、短い距離をより正確に、かつ、距離感を持って打つことができる打法をとることができるゴルフ用のウェッジクラブを提供することを目的としている。
【課題を解決するための手段】
【０００８】
本考案は上記目的を達成するために、ロフト角が４４°を越えるゴルフ用のウェッジクラブにおいて、全長が４１〜４７インチ、グリップの長さが１７〜１９インチ、ライ角が６６〜７３°の範囲内で形成し、グリップエンドをゴルファーの腹部、鳩尾部、胸部等の身体の一箇所に当ててアプローチショットを打つのに適する形状にして成るウェッジクラブを提供する。
【０００９】
この構成によれば、グリップを手で握ると共に、グリップエンドを腹部部、鳩尾部、胸部等の身体の一箇所に固定し、この固定位置をストロークの支点としてクラブをスイングするので、一定の前傾姿勢を保ち易い。また、手首の動きを制限するためにインパクトで力の強弱が起こらない。さらに、肩の動きで機械的なストローク(ショルダーストローク)ができる。これにより、無駄なところに力が入らずにスムーズにストロークすることができるとともに、インパクトの強さを変えないで、ストロークの大きさで距離感を掴むことができ、的確な飛距離が得られる。さらに、シャフトが長いので、ストロークが安定し、ミスショットをする心配がなくなる。
【考案の効果】
【００１０】
請求項１記載の考案によれば、スイングが安定し、方向と距離感の定まったショットを簡単に行うことができるウェッジクラブが得られ、このクラブを使用することによってスコアの向上が期待できる。
【実施例】
【００１１】
以下、本考案の実施例を、図面に基づいて説明する。
図１は、本考案に係るウェッジクラブ１の実施例を示すものである。このウェッジクラブ１は、ピッチングウェッジ、アプローチウェッジ、サンドウェッジ等、ロフト角βが４４°を越えるウェッジクラブである。ロフト角βは、ピッチングウェッジ、アプローチウェッジ、サンドウェッジとなるにしたがって大きくなる。
【００１２】
このウェッジクラブ１のシャフト２の長さＬ１、グリップ３の長さＬ２、クラブヘッド４のフェース面５とシャフト２の角度であるライ角θは、図２に示すように、ゴルファーＭが前傾姿勢になり、ウェッジクラブ１のグリップエンド３ａを、ゴルファー自身の腹部Ｍ１、鳩尾部Ｍ２、胸部Ｍ３等の身体の一箇所に当てた状態で、グリップ３を手で握り、そのグリップエンド３ａを当てた部分を支点として、振り子状にスイングするのに適する形状に設定される。
【００１３】
その長さＬ１、Ｌ２、ライ角θは、身長が１７０センチの男性の場合では、概略、次のようになる。
(１)グリップエンド３ａを腹部Ｍ１に当てて使用する場合、Ｌ１は４５インチ、ライ角θは７１°。
(２)グリップエンド３ａを鳩尾部Ｍ２に当てて使用する場合、Ｌ１は４３．５インチ、ライ角θは６９°。
(３)グリップエンド３ａを鳩尾部Ｍ２に当てて使用する場合、Ｌ１は４２インチ、ライ角θは６７°。
【００１４】
なお、ゴルファーの平均身長から推測すると、ゴルフクラブを提供する側では、長さＬ１が４１〜４７インチ、長さＬ２が１７〜１９インチ、ライ角θが６６〜７３°のウェッジクラブ１を用意しておけば、ほぼ全てのゴルファーＭの要求に応えることができる。そして、これによりゴルファーＭは、自身の体格及び支点として選択した身体の部位に応じて、自身に適するウェッジクラブ１を自由に選択して、自身に適するスイングを行うことができることになる。
【００１５】
したがって、本実施例のウェッジクラブ１は、グリップ３を手で握ると共に、グリップエンド３ａを腹部部Ｍ１、鳩尾部Ｍ２、胸部Ｍ３等の身体の一箇所に固定し、この固定位置をストロークの支点としてスイングし、アプローチショットをすることができる。これにより、前傾姿勢を保ち易く、また手首の動きを制限するためにインパクトで力の強弱を起こすことがなくなり、さらに肩の動きで機械的なストロークがスムーズにでき、インパクトの強さを変えないで、ストロークの大きさで距離感を掴むことができ、的確な飛距離が得られる。さらに、シャフトが長いので、ストロークが安定し、ミスショットをする心配がなくなる。この結果、スイングが安定し、方向と距離感の定まったショットを簡単に行うことができるウェッジクラブが得られ、このクラブを使用することによってスコアの向上が期待できる。これは、特にグリーン周りで、カップまでの距離が３０ヤード以内のショットで効果が顕著に現れることが分かった。また、このウェッジクラブ１は、プレー中の使用に限らず、練習用具としても適している。
【００１６】
以上、本考案の実施例について説明したが、本考案の要旨を逸脱しない範囲内で、上記実施例に種々の変形や変更を施すことが可能である。
【図面の簡単な説明】
【００１７】
【図１】本考案の一実施例として示すウェッジクラブの側正面図である。
【図２】本考案のウェッジクラブの使用状態を示す図である。
【符号の説明】
【００１８】
１      ウェッジクラブ
２      シャフト
３      グリップ
３ａ    グリップエンド
４      クラブヘッド
Ｍ      ゴルファー
Ｍ１    腹部
Ｍ２    鳩尾部
Ｍ３    胸部
【図１】
0003114432.tif 000003
【図２】
0003114432.tif 000004